(57)【要約】  アルミナ1kg当たり金属形態で表すと少なくとも0.03gのチタンを含むアルミナに担持されている銅を含む活性要素を含む触媒、及び前記触媒によって触媒される気相反応を含む方法を開示する。【選択図】  図１
2007511343.tif 000002
【特許請求の範囲】
【請求項１】
アルミナに担持されている銅を含む活性要素を含む触媒であって、前記アルミナがアルミナ1kg当たり金属形態で表すと少なくとも0.03gのチタンを含む、触媒。
【請求項２】
前記アルミナが、アルミナ1kg当たり金属形態で表すとせいぜい15gのチタンを含む、請求項１記載の触媒。
【請求項３】
前記アルミナが、アルミナ1kg当たり金属形態で表すと少なくとも0.05gのチタンを含む、請求項１又は２記載の触媒。
【請求項４】
前記アルミナが、アルミナ1kg当たり金属形態で表すとせいぜい5gのチタンを含む、請求項１〜３のいずれか１項に記載の触媒。
【請求項５】
銅に加え、アルカリ金属、アルカリ土類金属、希土類金属及びルテニウム、ロジウム、パラジウム、オスニウム、イリジウム、白金及び金からなる群の金属から選択される少なくとも1種の他の活性要素を含む、請求項１〜４のいずれか１項に記載の触媒。
【請求項６】
前記活性要素又は銅以外の要素が、アルカリ金属、アルカリ土類金属及び希土類金属から選択される、請求項１〜５のいずれか１項に記載の触媒。
【請求項７】
前記活性要素が、銅、マグネシウム及び少なくとも1種のアルカリ金属である、請求項１〜６のいずれか１項に記載の触媒。
【請求項８】
アルミナ1kg当たり金属形態で表すと少なくとも0.03gのチタンを含むアルミナの、触媒の担体としての使用。
【請求項９】
アルミナ1kg当たり金属形態で表すと少なくとも0.03gのチタンを含むアルミナの、触媒希釈剤としての使用。
【請求項１０】
気相反応を含む方法であって、前記気相反応が、請求項１〜７のいずれか１項に記載の触媒によって触媒されることを特徴とする、方法。
【請求項１１】
前記気相反応が、炭化水素の酸化反応である、請求項１０記載の方法。
【請求項１２】
前記気相反応が、1〜4個の炭素原子を含む炭化水素のオキシ塩素化反応である、請求項１０又は１１記載の方法。
【請求項１３】
前記気相反応が、1,2-ジクロロエタンへのエチレンのオキシ塩素化反応である、請求項１０〜１２のいずれか１項に記載の方法。
【発明の詳細な説明】
【発明の詳細な説明】
【０００１】
本出願は、2004年1月29日に提出された米国仮出願60/539583の利益を要求する。
【０００２】
本発明は、触媒及び該触媒を用いる気相方法に関する。
【０００３】
気相反応、及び特に酸化反応は、一般的に不活性担体に担持されている活性要素を含む触媒を用いる。これらの担体は、アルミナ、シリカゲル、混合酸化物及びクレイ又は天然由来の他の担体を含む。
炭化水素、及び特にエチレンのオキシ塩素化反応の特別な場合では、塩化水素及び空気、又は酸素、アルミナのような不活性担体に担持されている銅を含む活性要素からなる触媒を用いると非常にうまくいく。
従って、特許出願である、欧州特許第255156号明細書、欧州特許第375202号明細書、欧州特許第494474号明細書、欧州特許第657212号明細書及び欧州特許第657213号明細書、欧州特許第1155740号明細書は、アルミナに担持されている銅を含む活性要素を含むエチレンのオキシ塩素化のための触媒を記載している。
空気又は酸素を用いるエチレンのオキシ塩素化方法では、形成された1,2-ジクロロエタンを収集し、水及び全て又は一部の未転化塩化水素を除去して、該未転化エチレンの質を上げた後に排ガスをリサイクルし、それによって大量の気体を処理すること又は大気に放出することを避けることが習慣になっている。
可燃性ガスをコンプレッサーを通してリサイクルする場合、このガスの酸素含有量は、システムの安全性を保つのに重要な役割を担う。遭遇する圧力及び温度に依存して、種々の酸素含有量の制限が課せられる。これは、排ガスにおける安定な酸素プロフィールの操作が工業的反応器の安全性及び制御の観点から重要な工業的利点であり、且つこの利点が非常に重んじられるためである。
こうして、排ガス、すなわちリサイクルされたガスにおける定常的な酸素含有量を保持するのに好適な触媒が、ここで驚くべきことに見出された。
【０００４】
このために、本発明は、アルミナに担持されている銅を含む活性要素を含む触媒に関し、前記アルミナはアルミナ1kg当たり金属形態で表すと少なくとも0.03gのチタンを含む。
本発明の目的のためには、アルミナは式Al2O3の化合物を意味し、これは例えば式AlO(OH).H2Oで表され得るアルミニウムの水和物の焼成から生じ得、ゼロでない比表面積、有利には50〜300m2/gの比表面積を特徴とするようなものである。
本発明の触媒のアルミナは、アルミナ1kg当たり金属形態で表すと少なくとも0.03g、好ましくは少なくとも0.05g、特に好ましい態様では少なくとも0.1g、非常に好ましい態様では少なくとも0.2gのチタンを含む。
本発明の触媒のアルミナは、有利にはアルミナ1kg当たり金属形態で表すとせいぜい15g、好ましくはせいぜい5g、特に好ましい態様ではせいぜい1.5gのチタンを含む。
アルミナのチタン含有量は、任意の適切な技術で測定することができる。アルミナのチタン含有量は、好ましくはサンプルの完全な溶解の後の誘導結合プラズマ発光分光分析法（ICP-OES）によって測定される。
アルミナは、上記のチタン含有量を満たす限り、任意の由来のものでよく、任意の周知な方法によって得られてもよい。チタンは有利にはそれらの調合の前の段階、例えばアルミニウムの水和物製造工程の一つでアルミナ前駆体に導入される。アルミナは完全に又は部分的にタイプη、γ、θ又はδでもよい。好ましくはタイプδ又はγ、及び特に好ましくはタイプδである。
【０００５】
本発明の触媒のアルミナは、さらに有利には平均粒径5〜200μm、好ましくは20〜120μmを有する。平均粒径は、好ましくは乾燥している振動スクリーン上で測定される分類によって確立される。
窒素を用いるBET法で測定されるアルミナの比表面積は、有利には50m2/g〜300m2/g、好ましくは75〜250m2/g、及び特に好ましい態様では100m2/g〜210m2/gである。
本発明の触媒のアルミナの細孔容積は、有利には0.1〜1cm3/g、好ましくは0.2〜0.8cm3/g、特に好ましい態様では0.25〜0.6cm3/gである。
最後に、本発明の触媒のアルミナのバルク密度（自由流れで測定）は、有利には0.5〜1kg/dm3、好ましくは0.6〜0.9kg/dm3、特に好ましい態様では0.65〜0.75kg/dm3で変わる。
【０００６】
本発明の触媒のアルミナは、例えばアルミニウムの水和物の製造工程の一つに導入され得る可変量のチタン以外の原子、アルカリ金属の原子、ケイ素又は鉄などをさらに含み得ることに注目すべきである。
本発明の触媒では、活性要素は有利には少なくとも2種であり、そのうちの1種が銅である。従って本発明の触媒は、銅に加え、好ましくはアルカリ金属、アルカリ土類金属、希土類金属及びルテニウム、ロジウム、パラジウム、オスニウム、イリジウム、白金及び金からなる群の金属から選択される少なくとも1種の他の活性要素を含む。
本発明の触媒の活性要素は、有利には塩の形態、好ましくは塩化物の形態で触媒に存在する。
アルカリ金属は、周期表のIa群の元素を意味する。好ましいアルカリ金属は、カリウム、ナトリウム、リチウム及びセシウムを含む。
アルカリ土類金属は、周期表のIIa群の元素を意味する。好ましいアルカリ土類金属は、マグネシウム、カルシウム、バリウム及びストロンチウムを含む。マグネシウムが特に好ましい。
希土類金属は、周期表の57〜71の元素及びそれらの混合物を意味する。
本発明の触媒では、活性要素又は銅以外の要素が、非常に好ましい態様ではアルカリ金属、アルカリ土類金属及び希土類金属から選択される。
本発明の触媒では、活性要素は、非常に好ましい態様では銅、場合によってマグネシウム、少なくとも1種のアルカリ金属及び場合によって少なくとも1種の希土類金属である。
【０００７】
実に非常に好ましい態様では、活性要素は銅、マグネシウム、少なくとも1種のアルカリ金属及び場合によって少なくとも1種の希土類金属である。
活性要素が銅、マグネシウム及び少なくとも1種のアルカリ金属である触媒は、良好な結果を生じる。
以下の活性要素を含む触媒：銅/マグネシウム/カリウム、銅/マグネシウム/ナトリウム；銅/マグネシウム/リチウム、銅/マグネシウム/セシウム、銅/マグネシウム/ナトリウム/リチウム、銅/マグネシウム/カリウム/リチウム及び銅/マグネシウム/セシウム/リチウム、銅/マグネシウム/ナトリウム/カリウム、銅/マグネシウム/ナトリウム/セシウム及び銅/マグネシウム/カリウム/セシウムは、非常に良好な結果を生じる。
以下の活性要素を含む触媒：銅/マグネシウム/カリウム、銅/マグネシウム/ナトリウム；銅/マグネシウム/リチウム、銅/マグネシウム/セシウム、銅/マグネシウム/ナトリウム/リチウム、銅/マグネシウム/カリウム/リチウム及び銅/マグネシウム/セシウム/リチウムは、優れた結果を生じる。
【０００８】
金属形態で計算される銅含有量は、有利には触媒の30〜90g/kg、好ましくは40〜75g/kg及び特に好ましい態様では50〜70g/kgである。
金属形態で計算されるマグネシウム含有量は、有利には触媒の10〜30g/kg、好ましくは12〜25g/kg、特に好ましい態様では15〜20g/kgである。
金属形態で計算されるアルカリ金属含有量は、有利には触媒の0.1〜30g/kg、好ましくは0.5〜20g/kg、特に好ましい態様では1〜15g/kgである。
Cu:Mg:アルカリ金属の原子比は、通常1:0.1〜2:0.05〜2、好ましくは1:0.2〜1.5:0.1〜1.5、及び特に好ましい態様では1:0.5〜1:0.15〜1である。
本発明の触媒は、有利には、窒素を用いるBET法によって測定される、25m2/g〜300m2/g、好ましくは50〜200m2/g、及び特に好ましい態様では75〜175m2/gの比表面積を有する。
【０００９】
本発明の触媒を得るための方法は、本質的に重要でない。好ましい調製方法は、本発明のアルミナを所望量の触媒の活性要素の塩を含む水溶液に含浸することからなる。塩酸を含む種々の添加剤を、該水溶液に加えることができる。含浸は1種以上の工程で行うことができる。好ましくは一つの工程で行う。含浸の後に、特に好ましい態様では、得られた触媒の乾燥工程が続く。
アルミナを含浸するのに用いられる活性要素の塩は、酸化物、水酸化物、硝酸塩、炭酸塩、酢酸塩及び塩化物にすることができる。それらは好ましくは塩化物である。
含浸は、有利には周囲温度以上の温度で行うのが、含浸する塩の溶解度に好都合である。
固体に吸着されない液相の出現は、有利には、含浸する溶液の体積を用いられるアルミナの量の細孔容積の70〜100%に制限することによって回避される。
本発明は、さらに本発明の触媒の担体としての本発明のアルミナの使用に関する。
このために、本発明は、触媒の担体として、アルミナ1kg当たり金属形態で表すと少なくとも0.03gのチタンを含むアルミナの使用に関する。
本発明は、さらに触媒希釈剤としての本発明のアルミナの使用に関する。それは、続いて非含浸形態、又は少なくとも1種の活性要素が含浸されている形態などで用いることができる。
このため、本発明は、触媒希釈剤としてのアルミナ1kg当たり金属形態で表すと少なくとも0.03gのチタンを含むアルミナの使用に関する。
【００１０】
本発明の触媒は、気相反応を含む任意の方法で用いることができる。
従って、本発明はさらに、気相反応を含む方法に関し、該気相反応が本発明の触媒によって触媒されるためである。
気相反応は、好ましくは炭化水素の酸化反応、特に好ましい態様では1〜4個の炭素原子を有する炭化水素のオキシ塩素化反応である。
1〜4個の炭素原子を含む炭化水素は、メタン、エタン、エチレン、プロパン、プロピレン、ブテン、アセチレン、クロロエタン、クロロプロパン、ジクロロメタン及びジクロロエタンを含む。
非常に好ましい態様では、気相反応は1,2-ジクロロエタンへのエチレンのオキシ塩素化反応である。
【００１１】
オキシ塩素化反応は、固定床又は流動床で行うことができる。
該反応を固定床で行う場合、本発明の触媒は、好ましくは任意の形状の顆粒又はペレット形態である。該反応を流動床で行う場合、本発明の触媒は好ましくは粉末形態である。
オキシ塩素化反応は、好ましくは流動床で行う。
オキシ塩素化反応に必要な酸素分子は、有利には、例えば空気の形態で希釈されるか又は純粋な状態で反応器に導入される。酸素は、好ましくは純粋な状態で反応器に導入される。
オキシ塩素化反応を行う温度は、通常200〜300℃、好ましくは220〜280℃、特に好ましい態様では230〜270℃である。
オキシ塩素化反応を行う圧力は、本質的に重要でない。通常は0.1〜1MPa、好ましくは0.1〜0.8MPaの圧力で行う。
【００１２】
オキシ塩素化反応中の本発明の触媒の流動速度は、本質的に重要でない。その選択は、本質的に触媒の粒径分布及び装置の寸法に依存する。一般的に、操作は5〜100cm/sの流動速度で行う。
最後に、オキシ塩素化反応に用いる反応物の比は、先行技術の方法で一般的に用いられているものと同じである。通常、操作は、用いられるHClと反応するのに必要な化学量論に対してわずかに過剰なエチレンで行う。しかし、本発明の触媒を同様に用い、大量に過剰なエチレン又は化学量論の近辺、又は実際には過剰のHClでも操作する。
【００１３】
本発明の触媒は、それが用いられる方法に対して排ガス、すなわちリサイクルされるガスにおける安定した酸素プロフィールを得るという利点を示すだけでなく、これらのガスにおける安定なエチレン含有量を保証するという利点を示す。これは、反応器に送られる全エチレン（リサイクルを含む）に対する塩化水素の比が、オキシ塩素化反応の効果的な制御のための主要なパラメータであるために経済的に有利であり、そのパラメータは転化量を調整する。制御できない過剰量は、腐食及び流動床の場合における固化など種々の問題を生じ得る。実時間で相殺される連続的な変化は、より多くの仕事量を表し、これは本発明の場合には回避されることも明らかである。
【００１４】
以下の例は、本発明をその範囲に限定することなく説明することを意図する。
【００１５】
例1（本発明）
触媒を、最初にSASOL（ex-CONDEA Chemie GmbH）で販売されているPURAL SCC 30タイプの水和アルミナから調製し、このアルミナを焼成して180m2/gの比表面積を有するアルミナを得た。このアルミナは、アルミナ1kg当たり金属形態で表すと1.13gのチタンを含んでいた。チタン含有量は、サンプルの完全な溶解の後に誘導結合プラズマ発光分光分析法（ICP-OES）によって測定した。このアルミナは、以下の他の特性：細孔容積0.35cm3/g；バルク密度（自由流れで測定）0.7kg/dm3、及び平均粒径47μmを示した。
約750gのこのアルミナに対し、溶解状態で162gのCuCl2.2H2O、144gのMgCl2.6H2O、17.2gのKCl及び10.6gのLiClを含む含浸水溶液を加えた。続いて、この湿った固体を180℃で18時間加熱した。1kgの触媒が、触媒の全質量に対して金属形態で計算して、銅含有量60g/kg、マグネシウム含有量17g/kg、カリウム含有量9g/kg及びリチウム含有量1.75g/kgを有して得られた。原子比として表される種々の金属の比Cu:Mg:K:Liは、1:0.74:0.24:0.26であった。
【００１６】
例2（本発明）
例1に記載の方法によって調製された約16トンの触媒を、1,2-ジクロロエタンへのエチレンのオキシ塩素化のために工業用流動床反応器に入れた。
この反応器に、ガス分散装置によってガスを底から導入した。例2を行った操作条件は以下である。
反応物処理量(トン/時間):C2H4/HCl/O2:2.7/7.5/1.9
温度:246℃
圧力:0.49MPa
流動速度:33cm/秒
接触時間:26秒
オキシ塩素化反応の操作パラメータを24時間観察し、それを図1に示す。これは、24時間中の排ガスにおける酸素（プロットA）含有量（体積%）及びエチレン（プロットB）含有量（体積%）における変化を示している（X軸はhh.mmでの時間を示す）。排ガスの酸素及びエチレン含有量が、長期にわたり適度に一定して残っていることが観察され得る。
【００１７】
例3（比較）
触媒は、例1と同様の手順に従い、SASOL（ex-CONDEA Chemie GmbH）で販売されているPURAL SCC 30の水和アルミナから出発して調製した。このアルミナを焼成し、180m2/gの比表面積を有するアルミナを得た。例1のアルミナと異なり、例3に関するアルミナは、アルミナ1kg当たり金属形態で表すと0.015gのチタンを含んでいた。チタン含有量も、サンプルの完全溶解の後に誘導結合プラズマ発光分光分析法（ICP-OES）によって測定した。このアルミナは、以下の特性：細孔容積0.35cm3/g；バルク密度（自由流れで測定）0.70kg/dm3、及び平均粒径46μmを示した。
【００１８】
例4
例3に記載の方法によって調製された約16トンの触媒を、例2に記載されているのと同様の反応器に入れた。
この反応器に、ガス分散装置によってガスを底から導入した。例4を行った操作条件は以下である。
反応物処理量(トン/時間):C2H4/HCl/O2:3/8.5/2.1
温度:250℃
圧力:0.52MPa
流動速度:33cm/秒
接触時間:26秒
オキシ塩素化反応の操作パラメータを24時間観察し、それを図2に示す。これは、24時間中の排ガスにおける酸素（プロットA）含有量（体積%）及びエチレン（プロットB）含有量（体積%）における変化を示している（X軸はhh.mmでの時間を示す）。排ガスの酸素含有量における変化が、印象的であった。それは0.8以下〜2体積%以上を着実且つ容易に行き来し、絶え間ない補正をするためのオペレーターを必要とし、安全な自動化による停止から装置を防止した。排ガスのエチレン含有量は、6〜7体積%〜9体積%以上の迅速な突然の変化も示した。
【００１９】
例5（本発明）
例1に記載されている方法によって調製された約16トンの触媒を、1,2-ジクロロエタンへのエチレンのオキシ塩素化のために工業用流動床反応器に入れた。
この反応器に、ガス分散装置によってガスを底から導入した。例5を行った操作条件は以下である。
反応物処理量(トン/時間):C2H4/HCl/O2:3.1/8.6/2.2
温度:246.4℃
圧力:0.52MPa
流動速度:33cm/秒
接触時間:26秒
オキシ塩素化反応の操作パラメータを24時間観察し、それを図3に示す。これは、24時間中の排ガスにおける酸素（プロットA）含有量（体積%）及びエチレン（プロットB）含有量（体積%）における変化を示している（X軸はhh.mmでの時間を示す）。排ガスの酸素及びエチレン含有量が、長期にわたり適度に一定して残っていることが観察され得る。
【図面の簡単な説明】
【００２０】
【図１】例2において、24時間中の排ガスにおける酸素（プロットA）含有量（体積%）及びエチレン（プロットB）含有量（体積%）における変化を示す図（X軸はhh.mmでの時間を示す）。
【図２】例4において、24時間中の排ガスにおける酸素（プロットA）含有量（体積%）及びエチレン（プロットB）含有量（体積%）における変化を示す図（X軸はhh.mmでの時間を示す）。
【図３】例5において、24時間中の排ガスにおける酸素（プロットA）含有量（体積%）及びエチレン（プロットB）含有量（体積%）における変化を示す図（X軸はhh.mmでの時間を示す）。
【図１】
2007511343.tif 000003
【図２】
2007511343.tif 000004
【図３】
2007511343.tif 000005
【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
アルミナに担持されている銅を含む活性要素を含む触媒であって、前記アルミナがアルミナ1kg当たり金属形態で表すと少なくとも0.03gのチタンを含む、触媒。
【請求項２】
前記アルミナが、アルミナ1kg当たり金属形態で表すとせいぜい15gのチタンを含む、請求項１記載の触媒。
【請求項３】
前記アルミナが、アルミナ1kg当たり金属形態で表すと少なくとも0.05gのチタンを含む、請求項１又は２記載の触媒。
【請求項４】
前記アルミナが、アルミナ1kg当たり金属形態で表すとせいぜい5gのチタンを含む、請求項１〜３のいずれか１項に記載の触媒。
【請求項５】
銅に加え、アルカリ金属、アルカリ土類金属、希土類金属及びルテニウム、ロジウム、パラジウム、オスニウム、イリジウム、白金及び金からなる群の金属から選択される少なくとも1種の他の活性要素を含む、請求項１〜４のいずれか１項に記載の触媒。
【請求項６】
前記活性要素又は銅以外の要素が、アルカリ金属、アルカリ土類金属及び希土類金属から選択される、請求項１〜５のいずれか１項に記載の触媒。
【請求項７】
前記活性要素が、銅、マグネシウム及び少なくとも1種のアルカリ金属である、請求項１〜６のいずれか１項に記載の触媒。
【請求項８】
アルミナ1kg当たり金属形態で表すと少なくとも0.03gのチタンを含むアルミナの、銅を含む活性要素を含む触媒のための担体としての使用。
【請求項９】
アルミナ1kg当たり金属形態で表すと少なくとも0.03gのチタンを含むアルミナの、触媒希釈剤としての使用。
【請求項１０】
気相反応を含む方法であって、前記気相反応が、請求項１〜７のいずれか１項に記載の触媒によって触媒されることを特徴とする、方法。
【請求項１１】
前記気相反応が、炭化水素の酸化反応である、請求項１０記載の方法。
【請求項１２】
前記気相反応が、1〜4個の炭素原子を含む炭化水素のオキシ塩素化反応である、請求項１０又は１１記載の方法。
【請求項１３】
前記気相反応が、1,2-ジクロロエタンへのエチレンのオキシ塩素化反応である、請求項１０〜１２のいずれか１項に記載の方法。
【国際調査報告】
2007511343.tif 000006
2007511343.tif 000007
2007511343.tif 000008
2007511343.tif 000009
2007511343.tif 000010